(57)【要約】      （修正有）【課題】構造が簡単で、安全かつ信頼でき、洗浄も容易な水量自動調節弁を提供する。【解決手段】水量自動調節弁構造は水タンクモジュール１とその下方にベースモジュール２を備える。水タンクモジュールはボックス、給水口、スプリング、シールリング、プッシュロッド、プッシュ回転軸、トレイ、フロートとフロート回転軸を含み、ベースモジュールはベース本体と支持リブを含む。ボックス３は逆凸型構造で、中央部には給水口４が設けられ、プッシュロッド７は給水口の中間位置に垂直挿入され、頂部にはシールリング６が、一側にはトレイ９が設けられ、スプリング５はプッシュロッドの外側に周回して設けられる。ボックスの底部、かつプッシュロッドから離れる一端にはフロート１０が設けられ、中央部にはフロート回転軸１１が設けられ、プッシュロッドの底部とフロートはプッシュ回転軸８を通じて連結される。支持リブ１３はベース本体１２の内側、かつトレイの真下に設けられる。【選択図】図１
0003220373.tif 000002
【実用新案登録請求の範囲】
【請求項１】
水タンクモジュールとベースモジュールを備え、前記水タンクモジュールはボックス、給水口、スプリング、シールリング、プッシュロッド、プッシュ回転軸、トレイ、フロート、及びフロート回転軸を含み、前記ベースモジュールはベース本体と支持リブを含み、前記ボックスは逆凸型の構造に設けられ、前記ボックスの中央部には給水口が設けられ、前記プッシュロッドは給水口の中間位置に垂直挿入して設けられ、前記プッシュロッドの頂部には前記シールリングが設けられ、前記プッシュロッドの一側には前記トレイが設けられ、前記スプリングは前記プッシュロッドの外側に周回して設けられ、前記ボックスの底部、かつプッシュロッドから離れる一端には前記フロートが設けられ、前記フロートの中央部には前記フロート回転軸が設けられ、前記プッシュロッドの底部と前記フロートは前記プッシュ回転軸を通じて連結され、前記ベースモジュールは前記水タンクモジュールの下方に設けられ、前記ベースモジュールは凹型構造に設けられ、前記支持リブは前記ベース本体の内側、かつトレイの真下に設けられることを特徴とする新規な水量自動調節弁構造。
【請求項２】
前記シールリングはシリコーンまたはゴム材からなることを特徴とする請求項１に記載の新規な水量自動調節弁構造。
【請求項３】
前記水タンクモジュールはベースモジュールに整合することを特徴とする請求項１に記載の新規な水量自動調節弁構造。
【請求項４】
前記プッシュロッドの直径は前記給水口の直径より小さいことを特徴とする請求項１に記載の新規な水量自動調節弁構造。
【請求項５】
前記シールリングの直径は前記給水口の直径より大きいことを特徴とする請求項１に記載の新規な水量自動調節弁構造。
【請求項６】
前記水タンクモジュールと前記ベースモジュールは分離可能に設けられていることを特徴とする請求項１に記載の新規な水量自動調節弁構造。
【考案の詳細な説明】
【技術分野】
【０００１】
本考案は調節弁、特に給水弁装置の分野に属する新規な水量自動調節弁構造に関する。
【背景技術】
【０００２】
水タンクは機械設備のよく見られる部品の一つとして、優れた性能と作業品質は生産に大きな影響を与える。したがって、調節弁は水タンクの制御システムの一つとして、その開発およびデザインは特に重要になっている。従来の調節弁と水タンクは密閉構造になり、または調節弁と水槽が密閉構造になっている。密閉空間の気圧差の原理を用いて水の出入を調節するため、水タンクと水槽の内部に発生する汚れや蓄積水を洗浄して処理することが難しくなっている。かつ水制御弁と水タンクの間は螺旋方式により接続されているため、日常的な取付と洗浄は、手動でねじを回してから取付けたり、または外して洗浄する必要があり、非常に不便で、作業負担が増えてしまう。
【０００３】
このため、構造が簡単で、安全で、かつ信頼でき、また内部の洗浄が容易な調節弁の提供が本考案の研究課題である。
【考案の概要】
【考案が解決しようとする課題】
【０００４】
上述した技術的欠点を鑑みて、本考案は、フロート、シールリングとスプリングとの協働により自動開閉を実現し、煩雑な構造が不要で、作業状態が安定し、洗浄が容易な新規な水量自動調節弁構造を提供する。
【課題を解決するための手段】
【０００５】
新規な水量自動調節弁構造は、水タンクモジュールとベースモジュールを備える。前記水タンクモジュールは、ボックス、給水口、スプリング、シールリング、プッシュロッド、プッシュ回転軸、トレイ、フロート、及びフロート回転軸を含む。前記ベースモジュールはベース本体と支持リブを含み、前記ボックスは逆“凸”型の構造であり、前記ボックスの中央部には給水口が設けられ、前記プッシュロッドは給水口の中央部に垂直に挿入されている。前記プッシュロッドの頂部には前記シールリングが設けられ、前記プッシュロッドの一側には前記トレイが設けられ、前記プッシュロッドの外側には前記スプリングが周回して設けられる。前記ボックスの底部、かつプッシュロッドから離れる一側には前記フロートが設けられ、前記フロートの中央部には前記フロート回転軸が設けられる。前記プッシュロッドの底部は前記フロートに前記プッシュ回転軸を通じて連結されている。前記ベースモジュールは前記水タンクモジュールの下方に設けられ、前記ベースモジュールは“凹”型の構造であり、前記支持リブは前記ベース本体の内側、かつトレイの真下に設けられている。
【０００６】
さらに、前記シールリングの素材はシリコーンまたはゴムである。
【０００７】
さらに、前記水タンクモジュールとベースモジュールが整合する。
【０００８】
さらに、前記プッシュロッドの直径は前記給水口の直径より小さい。
【０００９】
さらに、前記シールリングの直径は前記給水口の直径より大きい。
【００１０】
さらに、前記水タンクモジュールは前記ベースモジュールに分離可能に設けられている。
【考案の効果】
【００１１】
本考案の構造はシンプルで、使いやすく、洗浄が簡単で、水の量を自動的に調整する効率を効果的に向上させる。
【図面の簡単な説明】
【００１２】
【図１】本考案の水を封止する際の構造の模式図である。
【図２】本考案の給水する際の構造の模式図である。
【図３】本考案の水タンクモジュールの構造の模式図である。
【図４】本考案のベースモジュールの構造の模式図である。
【考案を実施するための形態】
【００１３】
当業者が本考案の技術形態を更によく理解させるために、図１〜４に合わせてさらに説明する。
【００１４】
新規な水量自動調節弁構造は水タンクモジュール１とベースモジュール２を備える。水タンクモジュール１は、ボックス３、給水口４、スプリング５、シールリング６、プッシュロッド７、プッシュ回転軸８、トレイ９、フロート１０、及びフロート回転軸１１を含む。ベースモジュール２はベース本体１２と支持リブ１３を含み、ボックス３は逆“凸”型の構造であり、ボックス３の中央部には給水口４が設けられている。プッシュロッド７は給水口４の中央部に垂直に挿入され、かつプッシュロッド７の直径が給水口４の直径より小さいため、水がプッシュロッド７と給水口４の間の隙間からスムーズに流れることができる。プッシュロッド７の頂部にはシールリング６が設けられ、密閉効果をよくするために、シールリング６の素材はシリコーンまたはゴムを採用する。シールリング６の直径が給水口４の直径より大きいため、水を封止する際にシールリング６が給水口４を塞いて、水流が給水口へ進入することを防止する。プッシュロッド７の一側にはトレイ９が設けられ、プッシュロッド７の外側にはスプリング５が周回して設けられている。ボックス３の底部、かつプッシュロッド７から離れる一側にはフロート１０が設けられ、フロート１０の中央部にフロート回転軸１１が設けられ、プッシュロッド７の底部はフロート１０にプッシュ回転軸８を通じて連結され、ベースモジュール２は水タンクモジュール１の下方に設けられる。水タンクモジュール１とベースモジュール２が整合し、水タンクモジュール１はベースモジュール２に分離可能に設けられて、洗浄しやすくなる。ベース本体１２は“凹”型の構造であり、支持リブ１３はベース本体１２の内側、かつトレイ９の真下に設けられている。
【００１５】
＜実施形態１＞
図１に示すように、水を封止する際に、ベースモジュール２の支持リブ１３はトレイ９を押し付けて、スプリング５の弾性力に耐える。これにより、フロート１０のてこの原理によってプッシュロッド７の上下動きを完全に制御する。水位が所定高さに達すると、プッシュロッド７が下に引っ張られて、プッシュロッド７に取り付けられたシールリング６が給水口４を密閉することで、水流が下へ流されず、水の封止作用を達する。
【００１６】
＜実施形態２＞
図２に示すように、給水するとき、水位が所定高さに降下し、フロート１０が沈んで、プッシュロッド７が引き上げられ、プッシュロッド７に取り付けられたシールリング６が給水口４から離れ、水が自動的に下方へ流れ、給水効果に達する。
【００１７】
＜実施形態３＞
図３、４に示すように、洗浄を必要とする場合、水タンクモジュール１とベースモジュール２を分離できるため、作業員が水タンクモジュール１とベースモジュール２をそれぞれ洗浄することができる。水タンクモジュール１をベースモジュール２から引き上げると、スプリング５がトレイ９に押し当て、トレイ９がプッシュロッド７に押し当てることで、フロート１０本体の自重によってプッシュロッド７を上へ押し上げる力を克服し、プッシュロッド７に取り付けられたシールリング６が依然として密閉作用効果を果たすため、水が下方へ流れない。
【００１８】
フロート、シールリングとスプリングの協働による自動開閉を実現し、かつ、煩雑な構造をなくし、作業状態が安定し、洗浄が簡単になる。構造はシンプルで、使い易く、水の量を自動的に調整する効率を効果的に向上させることができた。
【００１９】
上述により、本考案によって開示される技術手段が詳細に記載されている。本明細書には、本考案の原理及び実施形態を記載している。上記の実施形態の説明は、本考案の方法およびそのコアアイデアを理解するためである。同時に、当業者にとって、本考案は、ここに開示される例に制限されず、さまざまな変更が可能である。本明細書の内容は、本考案を限定するものと解釈されるべきではない。
【符号の説明】
【００２０】
１  水タンクモジュール
２  ベースモジュール
３  ボックス
４  給水口
５  スプリング
６  シールリング
７  プッシュロッド
８  プッシュ回転軸
９  トレイ
１０  フロート
１１  フロート回転軸
１２  ベース本体
１３  支持リブ
【図１】
0003220373.tif 000003
【図２】
0003220373.tif 000004
【図３】
0003220373.tif 000005
【図４】
0003220373.tif 000006